(57)【要約】【課題】シーソー式に揺動する揺動つまみによってスイッチ本体をスムーズに遠隔操作でき、且つ構造が簡単で組み立てが容易な遠隔操作用スイッチ操作体を提供する。【解決手段】一端がスイッチ本体６００に連結されるケーブル５０１の他端を取り付け、取り付けたケーブル５０１をスイッチ本体６００に向けて前進・後退させることでスイッチ本体６００のオンオフ状態を切り換える遠隔操作用スイッチ操作体１である。遠隔操作用スイッチ操作体１は、揺動軸Ｌ１を中心に揺動自在に設置される揺動つまみ１０と、ケーブル５０１に連結されケーブル５０１を前進・後退させる方向に直線移動する操作体９０とを具備する。揺動つまみ１０に設けた棒部材４０を操作体９０に設けた凹部９７を係合し、揺動つまみ１０の揺動運動を操作体９０の直線運動に変換する。【選択図】図５
2010113875.tif 000002
【特許請求の範囲】
【請求項１】
一端がスイッチ本体に連結されるケーブルの他端を取り付け、取り付けたケーブルを前記スイッチ本体に向けて前進・後退させることでスイッチ本体のオンオフ状態を切り換える遠隔操作用スイッチ操作体において、
前記遠隔操作用スイッチ操作体は、揺動軸を中心に揺動自在に設置される揺動つまみと、
前記ケーブルに連結されケーブルを前進・後退させる方向に直線移動する操作体と、を具備し、
前記揺動つまみをその揺動軸より離れた位置に設けた係合部において前記操作体に設けた被係合部を係合し、これら係合部と被係合部は、何れか一方が凹部で、何れか他方が前記凹部に係合する棒部材であって、両者の係合により揺動つまみの揺動運動を操作体の直線運動に変換することを特徴とする遠隔操作用スイッチ操作体。
【請求項２】
請求項１に記載の遠隔操作用スイッチ操作体において、
前記揺動つまみを揺動自在に取り付けるつまみ収納ケースを具備し、
前記つまみ収納ケースの下部に前記操作体を直線移動自在に収納する操作体収納ケースを取り付け、
前記操作体から突出する突出部を前記つまみ収納ケース内に挿入して、この突出部の先端に設けた前記被係合部を前記揺動つまみに設けた係合部に係合することを特徴とする遠隔操作用スイッチ操作体。
【請求項３】
請求項１または２に記載の遠隔操作用スイッチ操作体において、
前記揺動つまみを揺動自在に取り付けるつまみ収納ケースを具備し、
このつまみ収納ケースには板ばねを取り付け、一方前記揺動つまみには前記板ばねに弾接する突起を設け、
揺動つまみが揺動した際に前記突起が板ばねに設けたクリック部を乗り越えることで揺動つまみの揺動にクリック感触を生じさせると同時に、クリック部を乗り越えた位置で揺動つまみが係止されることを特徴とする遠隔操作用スイッチ操作体。
【発明の詳細な説明】
【技術分野】
【０００１】
本発明は、スイッチを内蔵したスイッチ本体をケーブルを介して遠隔操作する遠隔操作用スイッチ操作体に関するものである。
【背景技術】
【０００２】
従来、スイッチを内蔵したスイッチ本体と、このスイッチ本体を操作する遠隔操作用のスイッチ操作体とをケーブルで連結し、前記スイッチ操作体を操作することで前記スイッチ本体のオンオフ状態を切り換えるスイッチ遠隔操作機構がある。この種のスイッチ遠隔操作機構によれば、スイッチ本体とスイッチ操作体とをそれぞれ最適な箇所に設置することができるので好適である。
【０００３】
しかしながら従来のスイッチ操作体は、たとえば特許文献１の図１，図２に示す操作部（１）のように、いわゆるプッシュロック型であり、その押釦レバー（４）を金属摺動帯（１０）の前進・後退方向に向って押し込む構造のものであった。
【０００４】
そして、この種のスイッチ操作体として、シーソー式に揺動する揺動つまみによってスイッチ本体を遠隔操作できる構造のものが望まれていたが、従来この種の構造のもので、構造が簡単で、組み立てが容易で、コンパクトなものはなかった。
【特許文献１】実公昭５６−１６０１６号公報
【発明の開示】
【発明が解決しようとする課題】
【０００５】
本発明は上述の点に鑑みてなされたものでありその目的は、シーソー式に揺動する揺動つまみによってスイッチ本体をスムーズに遠隔操作でき、且つ構造が簡単で、組み立てが容易な遠隔操作用スイッチ操作体を提供することにある。
【課題を解決するための手段】
【０００６】
本願請求項１に記載の発明は、一端がスイッチ本体に連結されるケーブルの他端を取り付け、取り付けたケーブルを前記スイッチ本体に向けて前進・後退させることでスイッチ本体のオンオフ状態を切り換える遠隔操作用スイッチ操作体において、前記遠隔操作用スイッチ操作体は、揺動軸を中心に揺動自在に設置される揺動つまみと、前記ケーブルに連結されケーブルを前進・後退させる方向に直線移動する操作体と、を具備し、前記揺動つまみをその揺動軸より離れた位置に設けた係合部において前記操作体に設けた被係合部を係合し、これら係合部と被係合部は、何れか一方が凹部で、何れか他方が前記凹部に係合する棒部材であって、両者の係合により揺動つまみの揺動運動を操作体の直線運動に変換することを特徴とする遠隔操作用スイッチ操作体にある。
【０００７】
本願請求項２に記載の発明は、請求項１に記載の遠隔操作用スイッチ操作体において、前記揺動つまみを揺動自在に取り付けるつまみ収納ケースを具備し、前記つまみ収納ケースの下部に前記操作体を直線移動自在に収納する操作体収納ケースを取り付け、前記操作体から突出する突出部を前記つまみ収納ケース内に挿入して、この突出部の先端に設けた前記被係合部を前記揺動つまみに設けた係合部に係合することを特徴とする遠隔操作用スイッチ操作体にある。
【０００８】
本願請求項３に記載の発明は、請求項１または２に記載の遠隔操作用スイッチ操作体において、前記揺動つまみを揺動自在に取り付けるつまみ収納ケースを具備し、このつまみ収納ケースには板ばねを取り付け、一方前記揺動つまみには前記板ばねに弾接する突起を設け、揺動つまみが揺動した際に前記突起が板ばねに設けたクリック部を乗り越えることで揺動つまみの揺動にクリック感触を生じさせると同時に、クリック部を乗り越えた位置で揺動つまみが係止されることを特徴とする遠隔操作用スイッチ操作体にある。
【発明の効果】
【０００９】
請求項１に記載の発明によれば、凹部と棒部材の係合によって、揺動つまみの揺動運動を操作体の直線運動に変換するので、その変換がスムーズに行えてスイッチ本体をスムーズに遠隔操作でき、また簡単な構造で遠隔操作用スイッチ操作体を構成することができる。
【００１０】
請求項２に記載の発明によれば、つまみ収納ケースを用いて揺動つまみを確実に揺動自在に設置でき、同時に操作体収納ケースを用いて操作体を確実に直線移動自在に設置でき、さらに両ケースを一体に取り付けることで、揺動つまみと操作体間の連結も容易かつ確実に行える。
【００１１】
請求項３に記載の発明によれば、揺動つまみを揺動する際にクリック感触が生じると同時に、揺動つまみを揺動した位置に確実に係止しておくことができる。
【発明を実施するための最良の形態】
【００１２】
以下、本発明の実施形態を図面を参照して詳細に説明する。図１は本発明の１実施形態にかかる遠隔操作用スイッチ操作体（以下「スイッチ操作体」という）１を上側から見た斜視図、図２はスイッチ操作体１を下側から見た斜視図、図３はスイッチ操作体１を上側から見た分解斜視図、図４はスイッチ操作体１を下側から見た分解斜視図、図５は図１のＡ−Ａ断面図、図６は図１のＢ−Ｂ断面図である。これらの図に示すようにスイッチ操作体１は、突起形成部材３０と棒部材４０とを取り付けた揺動つまみ１０と板ばね５０とを、つまみ収納ケース６０に収納し、つまみ収納ケース６０の下面に操作体９０と操作体９０を収納する操作体収納ケース１２０を取り付けてスイッチ操作体本体５を構成し、さらにスイッチ操作体本体５（操作体収納ケース１２０）の下部に、連結ケーブル５００の端部の上下を第１，第２ケース５７１，５９０で挟みこんで一体化したケーブル取付体５７０を取り付けて構成されている。以下各構成部品について説明する。なお以下の説明において、「上」とは操作体９０から揺動つまみ１０を見る方向をいい、「下」とはその反対方向をいうものとする。
【００１３】
揺動つまみ１０は合成樹脂を下面が開口された略矩形の箱型に成型して構成されており、下面の凹部１１内に揺動つまみ１０の揺動軸Ｌに垂直な面で仕切る仕切り板１３を設けている。揺動つまみ１０の左右両側面の中央には外方向（揺動軸Ｌ方向）に突出する一対の軸支突起１５，１５（図では手前側の一方の軸支突起１５のみ示す）が設けられている。揺動つまみ１０の一方の軸支突起１５を設けた側面の下辺中央と、仕切り板１３の下辺中央からは一対の舌片状の支柱１７，１７が下方向に向けて突出しており、それらの下端部近傍にはそれぞれ小孔からなる棒部材係合部１９，１９が形成されている。揺動つまみ１０の凹部１１の仕切り板１３によって仕切られた一方（一対の支柱１７，１７によって囲まれていない側）の凹部１１内には、一対の支柱２１，２１（図６参照）が設けられ、それらの先端にはねじ穴２３，２３が形成されている。
【００１４】
突起形成部材３０は合成樹脂製であり、平板状の基部３１の中央下面から突起３３を突設し、また基部３１の突起３３を突出したその両側に一対の貫通孔からなる取付部３５を設けて構成されている。突起３３は平板状であって左右両面を先端に向けてテーパ状に近づけることで先端を鋭角状に突出させている。一対の取付部３５は前記揺動つまみ１０の一対のねじ穴２３，２３に対向する位置に設けられている。
【００１５】
棒部材４０は合成樹脂を略円柱状に成型して構成されており、その両端は前記揺動つまみ１０の棒部材係合部１９，１９に係合する係合部４１，４１となっており、一方の係合部４１近傍にはその外径を大きくしてなるつば部４３が形成されている。
【００１６】
板ばね５０は弾性金属板（この実施形態ではリン青銅板）を略長尺帯状に形成し、その中央に上方向に三角形状に屈曲するクリック部５１を設け、両端に下方向に略９０度折り曲げてなる取付部５３，５３を設けて構成されている。
【００１７】
図９はつまみ収納ケース６０を別の角度から見た斜視図である。図９及びその他の図からもわかるように、つまみ収納ケース６０は合成樹脂を上面が解放された箱型に成形して構成されており、内部はつまみ収納部６１となっている。つまみ収納ケース６０の左右両側面には前記揺動つまみ１０の一対の軸支突起１５，１５を回動自在に挿入する軸支孔６３，６３が設けられ、またその底面には下記する操作体９０の突出部９３を挿入する長孔状の貫通孔からなる突出部挿通部６５と、突出部挿通部６５の周囲４か所に設けられるスリット状の貫通孔からなる操作体収納ケース取付部６７と、つまみ収納ケース６０の底面の一端近傍部分から下方向に突出する支柱６９の先端に形成されるねじ取付穴７１と、つまみ収納部６１の内部の左右両端面近傍の底面から突出してその上面に前記板ばね５０の取付部５３，５３を挿入・係止する凹部からなるばね係止部７３，７３と、ばね係止部７３，７３に隣接する位置に底面から突出してなるストッパー部７５，７５と、が設けられている。
【００１８】
操作体９０は合成樹脂の一体成型品であり、略矩形状に成形してなる基部９１と、基部９１の中央から上方向に突出する略四角柱状の突出部９３と、基部９１の下面から突出する略平板状のケーブル係合部９５と、を具備して構成されている。突出部９３の先端には凹状で略矩形状の被係合部（以下「凹部」という）９７が形成されている。
【００１９】
操作体収納ケース１２０は合成樹脂を略矩形板状に成形してなるケース基部１２１を有し、ケース基部１２１には前記操作体９０の移動方向に向けて長尺な貫通孔からなるケーブル係合部挿通部１２２が設けられ、またケース基部１２１上面のケーブル係合部挿通部１２２を囲む位置には矩形状に立設する側壁によって前記操作体９０を直線方向にスライド自在にガイドする凹部としてなる操作体収納部１２３が設けられ、操作体収納部１２３を構成する側壁には上方向に向けて突出する略Ｌ字状で同一方向に向けて屈曲する４つの取付係止部１２５が設けられている。またケース基部１２１の一端近傍にはビス挿通孔１２７が設けられ、他端近傍には貫通孔からなる爪係止部１２９が設けられ、またケース基部１２１の左右両側辺には２つずつの切り欠きからなる係止部１３１が設けられている。
【００２０】
連結ケーブル５００は、可撓性を有する棒状のケーブル５０１の一端に平板状の操作体取付部材５０３を取り付けて固定し、またケーブル５０１の両端を除くその全体にわたってケーブル保持帯５０５を取り付けて構成されている。操作体取付部材５０３は略矩形平板状でケーブル５０１を固定するケーブル固定部５０７と、前記操作体９０のケーブル係合部９５を挿入して一体に移動自在とする操作体取付部５０９とを有している。ケーブル保持帯５０５は１枚の帯状の金属板をはしご形状に形成し、はしごの各連結部分を交互にケーブル５０１の上下に位置させることでケーブル５０１をその長手方向に向けて移動（スライド移動）自在に保持し、またその端部のケーブル５０１を挟んだ両側位置に２つずつの開口からなる取付部５１１を設けている。なお実際にはケーブル保持帯５０５はさらにその周囲が図示しない扁平帯状の保護チューブによって被覆されている。
【００２１】
第１ケース５７１は合成樹脂を略矩形状に成形して構成されており、その上面中央には前記連結ケーブル５００端部の操作体取付部材５０３とケーブル保持帯５０５の取付部５１１を設けた部分とを挿入する浅い凹溝５７３が設けられ、凹溝５７３の前記操作体取付部材５０３に対向する位置には下面まで貫通する貫通孔５７５が設けられ、凹溝５７３の前記各取付部５１１に対向する位置にはこれら取付部５１１に挿入される４つの係止突起５７７が設けられている。また第１ケース５７１の外周からは３本の係止爪５７９と２本の係止突起５８１とが上方向に向かって突出している。
【００２２】
第２ケース５９０は金属板製であり、略矩形状で前記第１ケース５７１の上面をほぼ覆う形状寸法に形成され、前記第１ケース５７１の貫通孔５７５に対向する位置に矩形状の長孔からなる挿通部５９１を設け、また前記第１ケース５７１の各係止突起５７７に対向する位置にこれらを挿入する寸法形状の挿入部５９３を設け、また左右の対向する両側辺から一対ずつ舌片状の係止片５９５を突出して下方に折り曲げて構成されている。
【００２３】
次にスイッチ操作体１の組立方法について説明する。まず揺動つまみ１０の凹部１１内の支柱２１，２１上に突起形成部材３０の基部３１を当接し、ビス２５，２５を取付部３５，３５を通して支柱２１，２１のねじ穴２３，２３にねじ込むことで揺動つまみ１０に突起形成部材３０を取り付ける。次に支柱１７，１７の間に支柱１７，１７の間隔を広げながら棒部材４０を挿入して棒部材４０両端の係合部４１，４１を棒部材係合部１９，１９にスナップイン係合する。そして係合部４１，４１の支柱１７の両外側に突出している端部を熱カシメすることで棒部材４０を揺動つまみ１０に取り付ける。
【００２４】
次につまみ収納ケース６０のつまみ収納部６１内に板ばね５０を挿入し、その両端の取付部５３，５３をつまみ収納ケース６０のばね係止部７３，７３に係止する。次に揺動つまみ１０をつまみ収納部６１内に挿入し、その両軸支突起１５，１５をつまみ収納ケース６０の軸支孔６３，６３にスナップイン係合する。これによって揺動つまみ１０はつまみ収納ケース６０に揺動自在に軸支される。
【００２５】
次につまみ収納ケース６０の底面に操作体９０を当接し、その際操作体９０の突出部９３をつまみ収納ケース６０の突出部挿通部６５に挿入して、突出部９３先端の凹部９７に前記揺動つまみ１０に取り付けた棒部材９０（その中央部分）を挿入する。次につまみ収納ケース６０の底面に操作体収納ケース１２０を当接し、その際操作体収納ケース１２０の操作体収納部１２３内に前記操作体９０（その基部９１）を収納し、同時に操作体収納ケース１２０に設けた各取付係止部１２５をつまみ収納ケース６０の各操作体収納ケース取付部６７に挿入して各取付係止部１２５の先端が向く方向に操作体収納ケース１２０をスライド移動する。そしてビス１３３を操作体収納ケース１２０のビス挿通孔１２７に挿入してその先端をつまみ収納ケース６０のねじ取付孔７１にねじ込み、これによってつまみ収納ケース６０に操作体収納ケース１２０を取り付ける。図７は以上のようにして組み立てられたスイッチ操作体本体５を下側から見た斜視図である。同図に示すように操作体収納ケース１２０の下面からは操作体９０のケーブル係合部９５が突出している。
【００２６】
一方、第１ケース５７１の凹溝５７３内に連結ケーブル５００の端部の部分を挿入する。このとき連結ケーブル５００の各取付部５１１に第１ケース５７１の各係止突起５７７を挿入する。そしてその上に第２ケース５９０を被せるように載置し、そのとき第１ケース５７１の外側面を通してその下面側に突出する第２ケース５９０の係止片５９５の先端部分を第１ケース５７１の下面側に折り曲げてこれら各部材を一体化し、ケーブル取付体５７０を構成する。このとき第１ケース５７１の各係止突起５７７がそれぞれ挿入部５９３に挿入され、これによって連結ケーブル５００（そのケーブル保持帯５０５）の抜けが防止される。図８は以上のようにして組み立てられたケーブル取付体５７０を上側から見た斜視図である。同図に示すように第２ケース５９０の挿通部５９１に操作体取付部材５０３の操作体取付部５０９が露出している。
【００２７】
そして、前記スイッチ操作体本体５の下面にケーブル取付体５７０を配置して、スイッチ操作体本体５（操作体収納ケース１２０）の各係止部１３１と爪係止部１２９にそれぞれケーブル取付体５７０（第１ケース５７１）の３つの係止爪５７９と２つの係止突起５８１とを挿入し、３つの係止爪５７９をスナップイン係合し、これによって両者を一体化する。これによってスイッチ操作体１の組み立てが完了する。なお上記組立手順はその一例であり、他の各種異なる組立手順を用いて組み立てても良いことはいうまでもない。
【００２８】
図５に示すようにスイッチ操作体１は、揺動つまみ１０の棒部材４０が操作体９０の凹部９７に、凹部９７に対して上下動できる遊びを設けて係合している。また操作体９０のケーブル係合部９５は操作体取付部材５０３の操作体取付部５０９に挿入され操作体９０とケーブル５０１が一体に移動するように連結されている。また図６に示すように、揺動つまみ１０の突起３３の先端は、板ばね５０の上面（そのクリック部５１の一方の側面側）に弾接しており、この弾接力によって揺動つまみ１０の左右両端の内の一方の端部の下辺１０ａがこれに対向するストッパー部７５（図９参照）に弾接し、これによって揺動つまみ１０は一方の側に完全に揺動した位置で静止している。棒部材４０と凹部９７との係合位置と、突起３３の板ばね５０との弾接位置とは、揺動つまみ１０の揺動軸Ｌ方向に並ぶように並列に設置されている。このように並列に並べて設置したので、棒部材４０と凹部９７とを係合する動力伝達機能部と、クリック及び弾接による係止機能部とを、揺動つまみ１０の揺動軸方向Ｌへ並べてコンパクトに設置でき、スイッチ操作体１のコンパクト化（小型化）を図ることができる。
【００２９】
なお図１に点線で示すスイッチ本体６００は前記連結ケーブル５００の他端が取り付けられており、そのケーブル５０１がスイッチ操作体１によって前進・後退することで内部のスイッチのオンオフ状態が切り換わる機構を備えている。
【００３０】
そして揺動つまみ１０が図１に示す位置に揺動して静止しているときに、スイッチ本体６００のスイッチがオフしているものとし、揺動つまみ１０の上方向に持ち上がっている部分を押圧して揺動つまみ１０をその軸支突起１５を中心に揺動させると、図６に示す突起３３の先端が板ばね５０を下方向に押圧してこれを撓めながらクリック部５１を乗り越え、その際クリック感触を生じ、クリック部５１を乗り越えた後は板ばね５０の弾発復帰力も加わって自動的に、揺動つまみ１０は揺動していって反対側の端部の下辺１０ｂがこれに対向するストッパー部７５に弾接するまで揺動し、これによって揺動つまみ１０は他方の側に完全に揺動した位置で静止する。揺動つまみ１０が揺動する際、その揺動軸Ｌより下方向に離れた位置にある棒部材４０も揺動し、棒部材４０に係合している操作体９０の凹部９７内を棒部材４０が上下動することで棒部材４０の揺動運動を操作体９０の直線運動に変換し、操作体９０は直線運動し、操作体９０に連動するケーブル５０１も後退し、これによってスイッチ本体６００のスイッチがオンする。
【００３１】
以上説明したようにスイッチ操作体１は、揺動軸Ｌを中心に揺動自在に設置される揺動つまみ１０と、ケーブル５０１に連結されケーブル５０１を前進・後退させる方向に直線移動する操作体９０と、を具備し、揺動つまみ１０をその揺動軸Ｌより離れた位置に設けた棒部材（係合部）４０において操作体９０に設けた凹部（被係合部）９７を係合し、これら棒部材４０と凹部９７の係合により揺動つまみ１０の揺動運動を操作体９０の直線運動に変換するように構成されている。このように凹部９７と棒部材４０の係合によって、揺動つまみ１０の揺動運動を操作体９０の直線運動に変換するので、その変換がスムーズに行えてスイッチ本体６００をスムーズに遠隔操作でき、また簡単な構造でスイッチ操作体１を構成することができる。
【００３２】
またスイッチ操作体１は、揺動つまみ１０を揺動自在に取り付けるつまみ収納ケース６０を具備し、つまみ収納ケース６０の下部に操作体９０を直線移動自在に収納する操作体収納ケース１２０を取り付け、操作体９０から突出する突出部９３をつまみ収納ケース６０内に挿入して、この突出部９３の先端に設けた凹部９７に揺動つまみ１０に設けた棒部材４０を係合することとしたので、つまみ収納ケース６０を用いて揺動つまみ１０を確実に揺動自在に設置でき、同時に操作体収納ケース１２０を用いて操作体９０を確実に直線移動自在に設置でき、さらに両ケース６０，１２０を一体に取り付けることで、揺動つまみ１０と操作体９０間の連結も容易かつ確実に行える。
【００３３】
またスイッチ操作体１は、つまみ収納ケース６０に板ばね５０を取り付け、一方揺動つまみ１０に板ばね５０に弾接する突起３３を設け、揺動つまみ１０が揺動した際に突起３３が板ばね５０に設けたクリック部５１を乗り越えることで揺動つまみ１０の揺動にクリック感触を生じさせると同時に、クリック部５１を乗り越えた位置で揺動つまみ１０が係止される構成としたので、揺動つまみ１０を揺動する際にクリック感触が生じると同時に、揺動つまみ１０を揺動した位置に確実に係止しておく機能を、突起３３と板ばね５０のみの簡単な構成によって容易かつ確実に行わせることができる。
【００３４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では揺動つまみ１０に別部品として棒部材４０を取り付けたが、棒部材４０は揺動つまみ１０に一体成形にて形成してもよい。また上記実施形態では揺動つまみ１０に設ける係合部４０を棒部材とし、操作体９０に設ける被係合部９７を凹部としたが、これを逆にして、揺動つまみ１０に設ける係合部４０を凹部とし、操作体９０に設ける被係合部９７を棒部材としてもよい。また上記実施形態に用いたケーブル５０１は横断面円形の可撓性を有する棒状体であるが、例えば可撓性を有する平板帯状のケーブルなど、他の各種形状・構造のものであってもよい。また上記実施形態の板ばね５０はその両端をつまみ収納ケース６０に係止するいわゆる両持ち構造としたが、板ばね５０の一方の端部のみをつまみ収納ケース６０に係止するいわゆる片持ち構造としてもよい。
【図面の簡単な説明】
【００３５】
【図１】スイッチ操作体１を上側から見た斜視図である。
【図２】スイッチ操作体１を下側から見た斜視図である。
【図３】スイッチ操作体１を上側から見た分解斜視図である。
【図４】スイッチ操作体１を下側から見た分解斜視図である。
【図５】図１のＡ−Ａ断面図である。
【図６】図１のＢ−Ｂ断面図である。
【図７】スイッチ操作体本体５を下側から見た斜視図である。
【図８】ケーブル取付体５７０を上側から見た斜視図である。
【図９】つまみ収納ケース６０の斜視図である。
【符号の説明】
【００３６】
１  スイッチ操作体（遠隔操作用スイッチ操作体）
５  スイッチ操作体本体
１０  揺動つまみ
１５  軸支突起
Ｌ  揺動軸
３０  突起形成部材
３３  突起
４０  係合部（棒部材）
５０  板ばね
５１  クリック部
６０  つまみ収納ケース
９０  操作体
９３  突出部
９７  被係合部（凹部）
１２０  操作体収納ケース
５００  連結ケーブル
５０１  ケーブル
５７０  ケーブル取付体
５７１  第１ケース
５９０  第２ケース
６００  スイッチ本体
【図１】
2010113875.tif 000003
【図２】
2010113875.tif 000004
【図３】
2010113875.tif 000005
【図４】
2010113875.tif 000006
【図５】
2010113875.tif 000007
【図６】
2010113875.tif 000008
【図７】
2010113875.tif 000009
【図８】
2010113875.tif 000010
【図９】
2010113875.tif 000011